(57)【要約】      （修正有）【課題】既設の釘打ち機を活用して製造するパチンコ遊技機用遊技盤の製造方法を提供する。【解決手段】ＸＹ平面に沿い移動可能なテーブルの上面から１９（ｍｍ）の高さの平面を遊技釘の打ち込み開始面とする釘打ち機を前提に、１９（ｍｍ）よりも薄い厚さ及び遊技釘の打ち込み可能な柔らかさを有する透明板を遊技板として準備して、１９（ｍｍ）から透明板の厚さを減じた厚さの中空板を透明板にその裏面側から補助板として重畳的に固着する（Ｓ６）。そして、透明板を、中空板及びこの中空板の中空部に嵌装した板状底上げ治具を下側にし、釘打ち機のテーブル上に固定して、各遊技釘を釘打ち機により透明板に順次打ち込み（Ｓ７）、ガイドレールを透明板の外周部に組み付けた後、盤面前部品群及び盤面裏部品群を、透明板にその前面側及び裏面側から組み付ける(Ｓ９、Ｓ１１）。【選択図】図１４
2010268926.tif 000002
【特許請求の範囲】
【請求項１】
遊技板と、
この遊技板の前面にその外周部に沿い組み付けられるガイドレールと、
このガイドレールの内周側にて前記遊技板にその前面側から分散して打ち込まれる多数の遊技釘からなる遊技釘群と、
前記遊技板の中央に形成される中央くりぬき穴部の外周縁部に前記遊技板の前面側から組み付けられる環状センター構造物及び前記遊技板に前記中央くりぬき穴部の周囲において分散して形成される複数の分散くりぬき穴部を介し前記遊技板にその前面側から組み付けられる複数の分散構造物からなる盤面前側構造物群を少なくとも有する盤面前部品群と、
前記遊技板の前記中央くりぬき穴部を通して前方を臨むように前記遊技板の裏面側に配置される表示手段と、
前記遊技板にその裏面側から組み付けられる裏ケーシングその他の盤面裏部品群とを備えるパチンコ遊技機用遊技盤において、
前記遊技板と前記裏ケーシングとの間に介装されて前記盤面裏部品群に前記遊技板を直接臨ませるように中空部を形成してなる補助板を備えており、
前記裏ケーシングは、前記補助板を介し前記遊技板の裏面側に組み付けられており、
前記遊技板は、その前面側から前記補助板の前記中空部を通して前記盤面裏部品群の少なくとも一部を目視により良好に透視可能で前記遊技釘の適正な打ち込み深さを確保可能な厚さ及び前記遊技釘の打ち込み可能な柔らかさを有する透明板により形成されていることを特徴とするパチンコ遊技機用遊技盤。
【請求項２】
前記透明板は、前記遊技釘の打ち込み可能な柔らかさとなるようにゴムをアクリル樹脂に混合した混合材料でもって、１８．５（ｍｍ）〜２０．５（ｍｍ）の範囲以内の所定厚さ未満の厚さであって前記遊技釘の適正な打ち込み深さの確保可能な厚さにて形成されており、
前記補助板は、前記所定厚さから前記透明板の厚さを減じた厚さに形成されていることを特徴とする請求項１に記載のパチンコ遊技機用遊技盤。
【請求項３】
前記透明板の厚さは、１０（ｍｍ）であることを特徴とする請求項２に記載のパチンコ遊技機用遊技盤。
【請求項４】
ＸＹ平面に沿いＸ方向及びＹ方向に移動可能なテーブルを備えて、当該テーブルの上面から１８．５（ｍｍ）〜２０．５（ｍｍ）の範囲以内の所定高さの平面を遊技釘の打ち込み開始面とする仕様の釘打ち機の前記テーブルの上面上に１８．５（ｍｍ）〜２０．５（ｍｍ）の範囲以内の所定厚さの遊技板をその前面を上側に向けて着脱可能に固定して、前記釘打ち機により、所定の打ち込み位置パターンに応じて、多数の遊技釘を前記遊技板にその前面側から順次打ち込む釘打ち工程と、
この釘打ち工程の後、前記遊技板の前面にその外周部に沿いガイドレールを組み付けるガイドレール組み付け工程と、
このガイドレール組み付け工程の後、前記遊技板にその前面側からセンター構造物その他の盤面前構造物群を少なくとも含む盤面前部品群を組み付ける盤面前部品組み付け工程と、
前記遊技板にその裏面側から裏ケーシングその他の盤面裏部品群を組み付ける盤面裏部品組み付け工程とを備えるパチンコ遊技機の遊技盤の製造方法において、
前記所定厚さよりも薄くかつ前記盤面裏部品群の少なくとも一部を目視により良好に透視可能で前記遊技釘の適正な打ち込み深さを確保可能な厚さ及び前記遊技釘の打ち込み可能な柔らかさを有する透明板を前記遊技板として準備して、前記所定厚さから前記透明板の厚さを減じた厚さを有する中空板を補助板として前記透明板にその裏面側から重畳的に固着する中空板固着工程を備えており、
前記釘打ち工程は、前記中空板の中空部に対応する外形形状にて形成した板状底上げ治具を、前記透明板の裏面に当接するように前記中空板の前記中空部内に嵌装するとともに、前記透明板を前記中空板及び前記底上げ治具を下側にして前記テーブルの上面に着脱可能に固定して、前記釘打ち機により、前記所定の打ち込み位置パターンに応じて、前記多数の遊技釘を前記透明板にその前面側から順次打ち込む釘打ち工程であり、
前記ガイドレール組み付け工程は、前記透明板の前面にその外周部に沿い前記ガイドレールを組み付けるガイドレール組み付け工程であり、
前記盤面前部品組み付け工程は、前記透明板にその前面側から前記盤面前部品群を組み付ける盤面前部品組み付け工程であり、
前記盤面裏部品組み付け工程は、前記透明板にその裏面側から前記盤面裏部品群を組み付ける盤面裏部品組み付け工程であることを特徴とするパチンコ遊技機の遊技盤の製造方法。
【請求項５】
前記遊技釘の打ち込み可能な柔らかさとなるようにゴムをアクリル樹脂に混合した混合材料でもって、前記所定厚さ未満の厚さであって前記遊技釘の適正な打ち込み深さを確保可能な厚さを有するように前記透明板を形成する透明板形成工程と、
前記透明板に位置決め用基準孔部を形成する位置決め用基準孔形成工程と、
前記盤面前構造物群を構成する各盤面前構造物に対応するように各くりぬき穴部を、前記位置決め用基準孔部を基準として、前記透明板に形成するくりぬき穴形成工程と、
前記位置決め用基準孔部を基準として所定の下孔位置パターンに応じて前記多数の遊技釘の打ち込み用の多数の下孔部を前記透明板に形成する下孔形成工程とを具備して、
前記くりぬき穴形成工程及び前記下孔形成工程の後に、前記中空板固着工程において、前記位置決め用基準孔部を基準として、前記透明板に対する前記中空板の固着を行い、前記釘打ち工程において、前記位置決め用基準孔部を基準として、前記多数の下孔部を介し前記透明板に対する前記多数の遊技釘の打ち込みを行うようにしたことを特徴とする請求項４に記載のパチンコ遊技機の遊技盤の製造方法。
【請求項６】
ＸＹ平面に沿いＸ方向及びＹ方向に移動可能なテーブルを備えて、当該テーブルの上面から１８．５（ｍｍ）〜２０．５（ｍｍ）の範囲以内の所定高さの平面を遊技釘の打ち込み開始面とする仕様の釘打ち機の前記テーブルの上面上に１８．５（ｍｍ）〜２０．５（ｍｍ）の範囲以内の所定厚さの遊技板をその前面を上側に向けて着脱可能に固定して、前記釘打ち機により、所定の打ち込み位置パターンに応じて、多数の遊技釘を前記遊技板にその前面側から順次打ち込む釘打ち工程と、
この釘打ち工程の後、前記遊技板の前面にその外周部に沿いガイドレールを組み付けるガイドレール組み付け工程と、
このガイドレール組み付け工程の後、前記遊技板にその前面側からセンター構造物その他の盤面前構造物群を少なくとも含む盤面前部品群を組み付ける盤面前部品組み付け工程と、
前記遊技板にその裏面側から裏ケーシングその他の盤面裏部品群を組み付ける盤面裏部品組み付け工程とを備えるパチンコ遊技機の遊技盤の製造方法において、
前記所定厚さよりも薄くかつ前記盤面裏部品群を目視により良好に透視可能で前記遊技釘の適正な打ち込み深さを確保可能な厚さ及び前記遊技釘の打ち込み可能な柔らかさを有する透明板を前記遊技板として準備して、前記所定厚さから前記透明板の厚さを減じた厚さを有する中空板を補助板として前記透明板にその裏面側から重畳的に固着する中空板固着工程を備えており、
前記釘打ち工程は、前記中空板の中空部に対応する外形形状にて形成した板状治具本体及び前記中空板の少なくとも一板部位にその裏面側から凹状に形成された凹部に嵌装可能に前記板状治具本体のうち前記少なくとも一板部位に対する少なくとも一対応部位から延出するフランジであって前記治具本体の厚さから前記凹部の底壁部の厚さを減じた厚さを有するフランジからなる底上げ治具を準備して、この底上げ治具を、前記治具本体にて、前記透明板の裏面に当接するように前記中空板の前記中空部内に嵌装し、かつ、前記フランジを前記凹部内に嵌装するとともに、当該フランジの一部からその前面側へ突設される位置ずれ防止ロッド部を、この位置ずれ防止ロッド部に対する前記中空板の対応部位を通して、この対応部位に対する前記透明板の対応部位に着脱可能に嵌着した状態にて、前記透明板を前記中空板及び前記底上げ治具を下側にして前記テーブルの上面に着脱可能に固定して、前記釘打ち機により、前記所定の打ち込み位置パターンに応じて、前記多数の遊技釘を前記透明板にその前面側から順次打ち込む釘打ち工程であり、
前記ガイドレール組み付け工程は、前記透明板の前面にその外周部に沿い前記ガイドレールを組み付けるガイドレール組み付け工程であり、
前記盤面前部品組み付け工程は、前記透明板にその前面側から前記盤面前部品群を組み付ける盤面前部品組み付け工程であり、
前記盤面裏部品組み付け工程は、前記透明板にその裏面側から前記盤面裏部品群を組み付ける盤面裏部品組み付け工程であることを特徴とするパチンコ遊技機の遊技盤の製造方法。
【請求項７】
前記遊技釘の打ち込み可能な柔らかさとなるようにゴムをアクリル樹脂に混合した混合材料でもって、前記所定厚さ未満の厚さであって前記遊技釘の適正な打ち込み深さを確保可能な厚さを有するように前記透明板を形成する透明板形成工程と、
前記透明板に位置決め用基準孔部を形成する位置決め用基準孔形成工程と、
前記盤面前構造物群を構成する各盤面前構造物に対応するように各くりぬき穴部を、前記位置決め用基準孔部を基準として、前記透明板に形成するくりぬき穴形成工程と、
前記位置決め用基準孔部を基準として所定の下孔位置パターンに応じて前記多数の遊技釘の打ち込み用の多数の下孔部を前記透明板に形成する下孔形成工程とを具備して、
前記くりぬき穴形成工程及び前記下孔形成工程の後に、前記釘打ち工程において、前記位置ずれ防止ロッド部を、前記フランジの前記一部である前記位置決め用基準孔部に同軸的に対する対応部位からその前面側へ突設させて、この位置ずれ防止ロッド部に対する前記中空板の対応部位を通して、この対応部位に対する前記透明板の対応部位に着脱可能に嵌着した状態にて、前記位置決め用基準孔部を基準として、前記透明板を前記中空板及び前記底上げ治具を下側にして前記テーブルの上面に着脱可能に固定して、前記釘打ち機による前記多数の遊技釘の打ち込みを行うようにしたことを特徴とする請求項６に記載のパチンコ遊技機の遊技盤の製造方法。
【発明の詳細な説明】
【技術分野】
【０００１】
本発明は、パチンコ遊技機用遊技盤及びその製造方法に関する。
【背景技術】
【０００２】
従来、各種のパチンコ遊技機に用いられる遊技盤のうち、下記特許文献１に記載の遊技機器の遊技盤において各種遊技部品を設けるために用いられる遊技板は、ベニヤ板からなる環状枠体と、第１透明板に複数の釘ベースをインサート成形により形成することで構成してなる透明板体と、第２透明板とによって、構成されている。そして、当該遊技板は、上記透明板体及び第２透明板を、液晶ディスプレイの前方にて、上記環状枠体の中空部内に前後に位置するように併設して構成されている。
【先行技術文献】
【特許文献】
【０００３】
【特許文献１】特開２００５−１３７２０号公報
【発明の概要】
【発明が解決しようとする課題】
【０００４】
ところで、上述のように構成したパチンコ遊技機の遊技盤においては、遊技板を構成する上記透明板体及び第２透明板が透明であるものの、環状枠体は、ベニヤ板からなるため、不透明である。
【０００５】
このため、遊技板は、その全体に亘っては、透明ではないため、当該遊技板を通してその裏側の部品を透視しようとしても、透視可能な範囲は、当該遊技板の透明な範囲に限られる。このことは、当該遊技板は、全体的には、透視性を有さず、当該遊技板に依っては、裏側の部品に対する透視範囲を広く確保することはできない。
【０００６】
これに対する対策としては、遊技板を、上記透明板体だけでなく、上述の環状枠体をも含めて、透明板で形成することにより、上述の透視範囲を拡大することが考えられる。
【０００７】
然るに、上述したパチンコ遊技機の遊技板においては、上記透明板体が、第１透明板に複数の釘ベースをインサート成形により形成して構成されている。このため、上述のごとく、遊技板を、上述の環状枠体をも含めて透明板で形成するとしても、上述した釘ベースを、当該透明板の全体に亘り、多数、インサート成形するという面倒で複雑な作業が必須となるという不具合を招く。
【０００８】
さらには、上述したパチンコ遊技機の遊技板の上記透明板体においては、複数の釘ベースが第１透明板にインサート成形されているにすぎないため、遊技釘を釘ベースに打ち込んでも、遊技釘に対する第１透明板の支持強度を十分に確保することはできない。従って、上述のごとく、遊技板を、上述の環状枠体をも含めて透明板で形成して、釘ベースを、当該透明板の全体に亘り、多数、インサート成形しても、遊技釘に対する支持強度を十分に確保し得ないことに変わりはない。
【０００９】
また、上述のように遊技板の全体を透明板としても、この透明板が厚すぎると、実際には透視性に不足を生じ、当該透明板が薄すぎると、当該透明板に対する遊技釘の打ち込み深さが不十分となり、その結果、遊技釘の打ち込み不足による透明板の遊技釘に対する支持強度が不十分になるという不具合を招く。
【００１０】
そこで、本発明は、以上のようなことに対処するため、遊技板として透明板を活用することで、当該透明板が薄くてもこの透明板に対する遊技釘の適正な打ち込み深さを確保しつつ、透視範囲を広く確保するようにしたパチンコ遊技機用遊技盤を提供することを目的とする。
【００１１】
また、本発明は、釘打ち機が既設のものであり、かつ、上記透明板の厚さが当該既設の釘打ち機において遊技釘の打ち込み構成で要求される厚さよりも薄くても、上記透明板に対する遊技釘の打ち込みに工夫を凝らし、上記既設の釘打ち機を有効に活用して製造するようにしたパチンコ遊技機用遊技盤の製造方法を提供することを目的とする。
【課題を解決するための手段】
【００１２】
上記課題の解決にあたり、本発明に係るパチンコ遊技機用遊技盤は、請求項１の記載によれば、
遊技板（１００ａ）と、
この遊技板の前面にその外周部に沿い組み付けられるガイドレール（１２０）と、
このガイドレールの内周側にて遊技板にその前面側から分散して打ち込まれる多数の遊技釘（１１１）からなる遊技釘群（１１０）と、
遊技板の中央に形成される中央くりぬき穴部（１０１）の外周縁部に遊技板の前面側から組み付けられる環状センター構造物（１４０）及び遊技板に上記中央くりぬき穴部の周囲において分散して形成される複数の分散くりぬき穴部（１０２〜１０９、１３ａ〜１３ｃ、１４ａ〜１４ｅ）を介し遊技板にその前面側から組み付けられる複数の分散構造物（１６０ａ、１５２、１５３、１５５、１５６、１６０ｃ、１７０）からなる盤面前側構造物群を少なくとも有する盤面前部品群（１００ｃ）と、
遊技板の上記中央くりぬき穴部を通して前方を臨むように遊技板の裏面側に配置される表示手段（１９０）と、
遊技板にその裏面側から組み付けられる裏ケーシング（１８０ｂ）その他の盤面裏部品群（１８２、１８３、１００ｄ）とを備える。
【００１３】
当該パチンコ遊技機用遊技盤において、遊技板と裏ケーシングとの間に介装されて盤面裏部品群に遊技板を直接臨ませるように中空部を形成してなる補助板（１００ｂ）を備えており、
裏ケーシングは、補助板を介し遊技板の裏面側に組み付けられており、
遊技板は、その前面側から補助板の上記中空部を通して盤面裏部品群の少なくとも一部（１８１ａ）を目視により良好に透視可能で遊技釘の適正な打ち込み深さを確保可能な厚さ及び遊技釘の打ち込み可能な柔らかさを有する透明板（１０）により形成されていることを特徴とする。
【００１４】
これによれば、遊技板がその全体に亘り透明板で構成されることから、遊技板の透視範囲を大幅に拡大することができる。従って、遊技板の裏面側に位置する裏ケーシングその他の盤面裏部品群を、広い範囲にて、遊技板を通して視認することができる。
【００１５】
ここで、透明板は、上述のごとく、その前面側から盤面裏部品群を目視により良好に透視可能な厚さを有することから、透明板の透視性を良好に確保することができる。また、透明板は、上述のごとく、遊技釘の打ち込み可能な柔らかさを有することから、当該透明板は、遊技釘を打ち込まれても、亀裂や破損を生ずることがない。
【００１６】
また、当該透明板は、遊技釘の適正な打ち込み深さを確保可能な厚さを有することから、当該透明板に打ち込まれた遊技釘は、当該透明板によりしっかりと支持され得る。
【００１７】
以上によれば、遊技板として透明板を活用することで、当該透明板が薄くても、その透視範囲を広く確保しつつ当該透明板に対する遊技釘の適正な打ち込み深さの確保により支持強度を十分に確保するようにしたパチンコ遊技機用遊技盤の提供が可能となる。なお、遊技板と裏ケーシングとの間には補助板が介装されていることから、遊技板が、従来のパチンコ遊技機における遊技板よりも薄くても、補助板に遊技板の薄さを補わせることで、従来の遊技板と同様の厚さを確保することができるので、特に支障はない。
【００１８】
また、本発明は、請求項２の記載によれば、請求項１に記載のパチンコ遊技機用遊技盤において、
透明板は、遊技釘の打ち込み可能な柔らかさとなるようにゴムをアクリル樹脂に混合した混合材料でもって、１８．５（ｍｍ）〜２０．５（ｍｍ）の範囲以内の所定厚さ未満の厚さであって遊技釘の適正な打ち込み深さの確保可能な厚さにて形成されており、
補助板は、上記所定厚さから透明板の厚さを減じた厚さに形成されていることを特徴とする。
【００１９】
このように、遊技釘の打ち込み可能な柔らかさとなるようにゴムをアクリル樹脂に混合した混合材料でもって透明板を形成し、かつ、従来のパチンコ遊技機の遊技盤に用いられる遊技板と同様の上記所定厚さを、上記混合材料からなる透明板と補助板との双方の厚さの和によって満たすことで、請求項１に記載の発明の作用効果がより一層確実に達成され得る。
【００２０】
また、本発明は、請求項３の記載によれば、請求項２に記載のパチンコ遊技機用遊技盤において、透明板の厚さは、１０（ｍｍ）であることを特徴とする。
【００２１】
このように、透明板及び補助板の各厚さを設定することで、請求項２に記載の発明の作用効果がより一層具体的に達成され得る。
【００２２】
また、本発明に係るパチンコ遊技機の遊技盤の製造方法は、請求項４の記載によれば、
ＸＹ平面に沿いＸ方向及びＹ方向に移動可能なテーブル（２２３）を備えて、当該テーブルの上面から１８．５（ｍｍ）〜２０．５（ｍｍ）の範囲以内の所定高さの平面を遊技釘の打ち込み開始面とする仕様の釘打ち機（２００）の上記テーブルの上面上に１８．５（ｍｍ）〜２０．５（ｍｍ）の範囲以内の所定厚さの遊技板をその前面を上側に向けて着脱可能に固定して、上記釘打ち機により、所定の打ち込み位置パターンに応じて、多数の遊技釘（１１１）を遊技板にその前面側から順次打ち込む釘打ち工程と、
この釘打ち工程の後、遊技板の前面にその外周部に沿いガイドレール（１２０）を組み付けるガイドレール組み付け工程と、
このガイドレール組み付け工程の後、遊技板にその前面側からセンター構造物（１４０）その他の盤面前構造物群を少なくとも含む盤面前部品群（１００ｃ）を組み付ける盤面前部品組み付け工程と、
遊技板にその裏面側から裏ケーシング（１８０ｂ）その他の盤面裏部品群（１００ｄ）を組み付ける盤面裏部品組み付け工程とを備える。
【００２３】
当該パチンコ遊技機の遊技盤の製造方法において、上記所定厚さよりも薄くかつ盤面裏部品群の少なくとも一部（１８２ａ）を目視により良好に透視可能で遊技釘の適正な打ち込み深さを確保可能な厚さ及び遊技釘の打ち込み可能な柔らかさを有する透明板（１０）を遊技板として準備して、上記所定厚さから透明板の厚さを減じた厚さを有する中空板（１０ａ）を補助板（１００ｂ）として透明板にその裏面側から重畳的に固着する中空板固着工程（Ｓ６）を備えており、
上記釘打ち工程は、上記中空板の中空部に対応する外形形状にて形成した板状底上げ治具（１０ｂ）を、透明板の裏面に当接するように上記中空板の上記中空部内に嵌装するとともに、透明板を上記中空板及び底上げ治具を下側にして上記テーブルの上面に着脱可能に固定して、上記釘打ち機により、上記所定の打ち込み位置パターンに応じて、多数の遊技釘を透明板にその前面側から順次打ち込む釘打ち工程（Ｓ７）であり、
上記ガイドレール組み付け工程は、透明板の前面にその外周部に沿いガイドレールを組み付けるガイドレール組み付け工程（Ｓ８）であり、
上記盤面前部品組み付け工程は、透明板にその前面側から盤面前部品群を組み付ける盤面前部品組み付け工程（Ｓ９）であり、
上記盤面裏部品組み付け工程は、透明板にその裏面側から盤面裏部品群を組み付ける盤面裏部品組み付け工程（Ｓ１１）であることを特徴とする。
【００２４】
これによれば、遊技板に相当する透明板が、１８．５（ｍｍ）〜２０．５（ｍｍ）の範囲以内の所定厚さよりも薄くかつ盤面裏部品群を目視により良好に透視可能で遊技釘の適正な打ち込み深さを確保可能な厚さ及び遊技釘の打ち込み可能な柔らかさを有する。
【００２５】
このような透明板を前提に、補助板に相当する中空板が、上記所定厚さから透明板の厚さを減じた厚さを有して、透明板にその裏面側から重畳的に固着される。そして、透明板が、上記中空板及びこの中空板の上記中空部内に嵌装した底上げ治具を下側にして、上記釘打ち機のテーブルの上面に着脱可能に固定される。このような状態にて、多数の遊技釘が、上記釘打ち機により、上記所定の打ち込み位置パターンに応じて、透明板にその前面側から順次打ち込まれる。
【００２６】
然る後、ガイドレールが透明板の前面にその外周部に沿い組み付けられ、盤面前部品群が、透明板にその前面側から盤面前部品群を組み付けられ、かつ、盤面裏部品群が、透明板にその裏面側からを組み付けられる。これにより、透明板を遊技板とし、かつ、中空板を補助板とする遊技板の製造が終了する。
【００２７】
以上によれば、遊技釘の打ち込みにあたり、釘打ち機においては、上述のごとく、釘打ちのための基準面が釘打ち機のテーブルの上面で設定されており、釘打ちの開始面が、上記基準面の上方である１８．５（ｍｍ）〜２０．５（ｍｍ）の範囲以内の所定高さの位置に設定されている。
【００２８】
しかしながら、遊技板に相当する透明板の厚さが上記所定厚さよりも薄いものの、補助板に相当する中空板の厚さが１９（ｍｍ）から透明板の厚さを減じた厚さとなっていることから、透明板及び中空板の双方の厚さの和は上記所定厚さに等しい。このため、中空板が、透明板の薄さを補う役割を果たし、当該透明板の前面（上面）を、上述した釘打ちの開始面に正しく維持する。
【００２９】
従って、上述のごとく、中空板及び底上げ治具を下側にして、透明板を釘打ち機のテーブル上に載置したとき、透明板が、上述のごとく、中空板及び底上げ治具の双方でもって、全体的に、テーブルの上面上にしっかりと支持される。その結果、上述した釘打ち機による透明板に対する遊技釘の打ち込み力が強くても、透明板が撓んだり破壊したりすることなく、各遊技釘を透明板に対し適正な打ち込み深さにて適正な向きに打ち込むことができる。その結果、各遊技釘は、透明板により適正に支持され得る。
【００３０】
これにより、釘打ち機が既設のものであっても、上述のように、中空板及び底上げ治具を利用して遊技釘の透明板に対する打ち込み構成に工夫を凝らすことで、当該既設の釘打ち機を有効に活用した遊技盤の製造方法の提供が可能となるのは勿論のこと、この製造方法により製造される遊技盤は、請求項１に記載の発明と同様の作用効果を達成することができる。なお、上述のごとく、透明板は、遊技釘の打ち込み可能な柔らかさを有することから、遊技釘を上述のように透明板に打ち込んでも、この透明板に亀裂や破損が生ずることはない。
【００３１】
また、本発明は、請求項５の記載によれば、請求項４に記載のパチンコ遊技機の遊技盤の製造方法において、
遊技釘の打ち込み可能な柔らかさとなるようにゴムをアクリル樹脂に混合した混合材料でもって、上記所定厚さ未満の厚さであって遊技釘の適正な打ち込み深さを確保可能な厚さを有するように透明板を形成する透明板形成工程（Ｓ１）と、
透明板に位置決め用基準孔部を形成する位置決め用基準孔形成工程（Ｓ２）と、
盤面前構造物群を構成する各盤面前構造物に対応するように各くりぬき穴部を、上記位置決め用基準孔部を基準として、透明板に形成するくりぬき穴形成工程（Ｓ３）と、
上記位置決め用基準孔部を基準として所定の下孔位置パターンに応じて多数の遊技釘の打ち込み用の多数の下孔部（１７）を透明板に形成する下孔形成工程（Ｓ５）とを具備して、
上記くりぬき穴形成工程及び上記下孔形成工程の後に、上記中空板固着工程において、上記位置決め用基準孔部を基準として、透明板に対する中空板の固着を行い、上記釘打ち工程において、上記位置決め用基準孔部を基準として、上記多数の下孔部を介し透明板に対する多数の遊技釘の打ち込みを行うようにしたことを特徴とする。
【００３２】
これによれば、透明板が、上述のように遊技釘の打ち込み可能な柔らかさとなるようにゴムをアクリル樹脂に混合した混合材料でもって形成されるので、遊技釘を、透明板に対し、その亀裂や破損を招くことなく、打ち込むことが、より一層良好になされ得る。
【００３３】
また、上述のごとく、透明板に位置決め用基準孔部を形成して、この基準孔部を基準にして、透明板に対し、くりぬき穴部や下孔部を形成するようにしたので、透明板に対するくりぬき穴部や下孔部の形成位置が精度よく確保され得る。従って、その後の透明板に対する中空板の固着や多数の下孔部を介した透明板に対する多数の遊技釘の打ち込みを、位置決め用基準孔部のもとに精度よく行うことができる。その結果、請求項４に記載の発明の作用効果がより一層向上され得る。
【００３４】
本発明にパチンコ遊技機の遊技盤の製造方法では、請求項６の記載によれば、
ＸＹ平面に沿いＸ方向及びＹ方向に移動可能なテーブル（２２３）を備えて、当該テーブルの上面から１８．５（ｍｍ）〜２０．５（ｍｍ）の範囲以内の所定高さの平面を遊技釘の打ち込み開始面とする仕様の釘打ち機（２００）の前記テーブルの上面上に１８．５（ｍｍ）〜２０．５（ｍｍ）の範囲以内の所定厚さの遊技板をその前面を上側に向けて着脱可能に固定して、釘打ち機により、所定の打ち込み位置パターンに応じて、多数の遊技釘（１１１）を遊技板にその前面側から順次打ち込む釘打ち工程と、
この釘打ち工程の後、遊技板の前面にその外周部に沿いガイドレール（１２０）を組み付けるガイドレール組み付け工程と、
このガイドレール組み付け工程の後、遊技板にその前面側からセンター構造物（１４０）その他の盤面前構造物群を少なくとも含む盤面前部品群（１００ｃ）を組み付ける盤面前部品組み付け工程と、
遊技板にその裏面側から裏ケーシング（１８０ｂ）その他の盤面裏部品群（１００ｄ）を組み付ける盤面裏部品組み付け工程とを備える。
【００３５】
当該パチンコ遊技機の遊技盤の製造方法において、上記所定厚さよりも薄くかつ盤面裏部品群を目視により良好に透視可能で遊技釘の適正な打ち込み深さを確保可能な厚さ及び遊技釘の打ち込み可能な柔らかさを有する透明板（１０）を遊技板として準備して、上記所定厚さから透明板の厚さを減じた厚さを有する中空板（３００ａ）を補助板（３００）として透明板にその裏面側から重畳的に固着する中空板固着工程（Ｓ６）を備えており、
上記釘打ち工程は、中空板の中空部に対応する外形形状にて形成した板状治具本体（３３０）及び中空板の少なくとも一板部位にその裏面側から凹状に形成された凹部（３０１、３１０）に嵌装可能に板状治具本体のうち上記少なくとも一板部位に対する少なくとも一対応部位から延出するフランジであって治具本体の厚さから上記凹部の底壁部の厚さを減じた厚さを有するフランジ（３４０）からなる底上げ治具（３００ｂ）を準備して、この底上げ治具を、治具本体にて、透明板の裏面に当接するように中空板の上記中空部内に嵌装し、かつ、上記フランジを上記凹部内に嵌装するとともに、当該フランジの一部からその前面側へ突設される位置ずれ防止ロッド部（３４３）を、この位置ずれ防止ロッド部に対する中空板の対応部位を通して、この対応部位に対する透明板の対応部位に着脱可能に嵌着した状態にて、透明板を中空板及び底上げ治具を下側にしてテーブルの上面に着脱可能に固定して、釘打ち機により、上記所定の打ち込み位置パターンに応じて、多数の遊技釘を透明板にその前面側から順次打ち込む釘打ち工程（Ｓ７）であり、
上記ガイドレール組み付け工程は、透明板の前面にその外周部に沿いガイドレールを組み付けるガイドレール組み付け工程（Ｓ８）であり、
上記盤面前部品組み付け工程は、透明板にその前面側から盤面前部品群を組み付ける盤面前部品組み付け工程（Ｓ９）であり、
上記盤面裏部品組み付け工程は、透明板にその裏面側から盤面裏部品群を組み付ける盤面裏部品組み付け工程（Ｓ１１）であることを特徴とする。
【００３６】
このように、上述のように構成した板状治具本体及びフランジからなる底上げ治具を準備して、この底上げ治具を、治具本体にて、透明板の裏面に当接するように中空板の中空部内に嵌装し、かつ、フランジにて、上述のごとく中空板に形成した凹部内に嵌装するとともに、当該フランジのずれ防止ロッド部を、この位置ずれ防止ロッド部に対する中空板の対応部位を通して、この対応部位に対する透明板の対応部位に着脱可能に嵌着するようにした。
【００３７】
このため、透明板、中空板及び底上げ治具が相互に位置ずれ不能にしっかりと組み付けられる。従って、請求項４に記載の発明と同様にして、多数の遊技釘を、上記釘打ち機により、透明板にその前面側から順次打ち込むにあたり、透明板に対する遊技釘の打ち込み力が強くても、透明板、中空板及び底上げ治具との間の位置ずれを発生させることなく、かつ、透明板が撓んだり破壊したりすることなく、各遊技釘を透明板に対し適正な打ち込み深さにて適正な向きにてしっかりと打ち込むことができる。このことは、透明板と中空板との間の上述した固着状態を、遊技釘の打ち込み前と同様に正常に維持しつつ、遊技釘の透明板に対する打ち込みを良好に行い得ることを意味する。その他の作用効果は、請求項４に記載の発明と同様である。
【００３８】
また、本発明は、請求項７の記載によれば、請求項６に記載のパチンコ遊技機の遊技盤の製造方法において、
遊技釘の打ち込み可能な柔らかさとなるようにゴムをアクリル樹脂に混合した混合材料でもって、上記所定厚さ未満の厚さであって遊技釘の適正な打ち込み深さを確保可能な厚さを有するように透明板を形成する透明板形成工程（Ｓ１）と、
透明板に位置決め用基準孔部を形成する位置決め用基準孔形成工程（Ｓ２）と、
盤面前構造物群を構成する各盤面前構造物に対応するように各くりぬき穴部を、上記位置決め用基準孔部を基準として、透明板に形成するくりぬき穴形成工程（Ｓ３）と、
上記位置決め用基準孔部を基準として所定の下孔位置パターンに応じて多数の遊技釘の打ち込み用の多数の下孔部を透明板に形成する下孔形成工程（Ｓ５）とを具備して、
上記くりぬき穴形成工程及び上記下孔形成工程の後に、上記釘打ち工程において、上記位置ずれ防止ロッド部（３４３）を、フランジの上記一部である上記位置決め用基準孔部に同軸的に対する対応部位からその前面側へ突設させて、この位置ずれ防止ロッド部に対する中空板の対応部位を通して、この対応部位に対する透明板の対応部位に着脱可能に嵌着した状態にて、上記位置決め用基準孔部を基準として、透明板を中空板及び底上げ治具を下側にしてテーブルの上面に着脱可能に固定して、釘打ち機による多数の遊技釘の打ち込みを行うようにしたことを特徴とする。
【００３９】
このように、位置ずれ防止ロッド部を、上述のごとく、上記位置決め用基準孔部に同軸的に対するフランジの対応部位からその前面側へ突設させて、この位置ずれ防止ロッド部に対する中空板の対応部位を通し透明板の対応部位に着脱可能に嵌着した状態にて、上記位置決め用基準孔部を基準として、透明板を中空板及び底上げ治具を下側にしてテーブルの上面に着脱可能に固定した。
【００４０】
これにより、上述した透明板、中空板及び底上げ治具の間の固着構成が、透明板の上記位置決め用基準孔部に対応する部位に集中することとなり、その結果、透明板、中空板及び底上げ治具に対する上記固着構成の形成に要する加工処理を簡単にしつつ、請求項６に記載の発明の作用効果を達成することができる。
【００４１】
なお、上記各手段の括弧内の符号は、後述する実施形態に記載の具体的手段との対応関係を示す。
【図面の簡単な説明】
【００４２】
【図１】本発明が適用されるパチンコ遊技機の第１実施形態を示す正面図である。
【図２】上記パチンコ遊技機の遊技盤の正面図である。
【図３】図２の遊技盤の分解斜視図である。
【図４】（ａ）は、図３の遊技板の部分断面図であり、（ｂ）は、従来のパチンコ遊技機の遊技板の部分断面図である。
【図５】図３のセンター構造物を示す拡大斜視図である。
【図６】図３の右上側コーナー飾りを示す拡大斜視図である。
【図７】図３の左側中央構造物を示す拡大分解斜視図である。
【図８】図３の右側中央構造物を示す拡大分解斜視図である。
【図９】図３の肩チャッカーを示す拡大斜視図である。
【図１０】図３のゲートを示す拡大斜視図である。
【図１１】図３のスタートチャッカーを示す拡大斜視図である。
【図１２】図３の下側アタッカーを示す拡大斜視図である。
【図１３】図３の裏ケーシングを示す拡大斜視図である。
【図１４】図２の遊技盤の製造方法を示す工程図である。
【図１５】図１４の透明板成形工程で成形された透明板を示す斜視図である。
【図１６】図１４の位置決め用基準孔形成工程で基準孔部を形成される透明板を示す斜視図である。
【図１７】図１４のくりぬき穴形成工程で複数のくりぬき穴部を形成される透明板の拡大正面図である。
【図１８】図１４のベニヤ環状板形成工程で形成されるベニヤ環状板の正面図である。
【図１９】図１４の下孔形成工程で多数の下孔部を形成される透明板の拡大正面図である。
【図２０】図１４の釘打ち工程で用いられる釘打ち機の斜視図である。
【図２１】図２０の釘打ち機において遊技釘を各チャックに供給する経路及び各チャックとテーブル上の透明板との位置関係を示す模式的説明図である。
【図２２】図１４の釘打ち工程において用いる底上げ治具の正面図である。
【図２３】（ａ）〜（ｆ）は、それぞれ、図１４の釘打ち工程において釘打ち機のチャック及び押動素子の動作を透明板の下孔部の位置との関係で示す説明図である。
【図２４】図１４のガイドレール組み付け工程において外側レール部及び内側レール部を透明板に組み付けた状態を示す拡大斜視図である。
【図２５】図２６にて２５−２５線に沿う断面図である。
【図２６】本発明の第２実施形態における透明板に固着した状態で示す補助板の裏面図である。
【図２７】図２６の透明板及び補助板の側面図である。
【図２８】図２６にて２８−２８線に沿う断面図である。
【図２９】図２６にて２９−２９線に沿う断面図である。
【図３０】上記第２実施形態における補助板に対応するベニヤ環状板の裏面図である。
【図３１】上記第２実施形態において透明板に固着した補助板及びこの補助板に嵌合した底上げ治具の裏面図である。
【図３２】図３１にて３２−３２線に沿う断面図である。
【図３３】図３１の底上げ治具の裏面図である。
【図３４】図３１の底上げ治具の側面図である。
【発明を実施するための形態】
【００４３】
以下、本発明の各実施形態を図面により説明する。
（第１実施形態）
図１は、本発明を適用してなるパチンコ遊技機の第１実施形態を示している。当該パチンコ遊技機は、機枠（図示しない）と、この機枠に支持される遊技機本体Ｂ及び前扉ＦＤとを備えている。なお、前扉ＦＤは、遊技機本体Ｂの左側縁部を介し、上記機枠の左側縁部に前後方向に開閉可能に支持されている。
【００４４】
遊技機本体Ｂは、図２にて示す遊技盤１００を本体枠（図示しない）に組み付けて構成されている。遊技盤１００は、図２或いは図３にて示すごとく、遊技板１００ａ及び補助板１００ｂを備えている。
【００４５】
遊技板１００ａは、ゴムをアクリル樹脂に均一に混合してなる混合材料でもって形成してなる透明板により構成されている。但し、当該透明板においてゴムの量のアクリル樹脂の量との混合割合は、当該透明板の柔らかさ及び透明度を適正に維持し得る程度である。本第１実施形態において、上述した透明板の柔らかさは、当該透明板に対する遊技釘の打ち込みによって当該透明板に亀裂や破損を生じさせることなく、かつ、当該透明板に打ち込まれた遊技釘に対する遊技球の衝突によっても遊技釘をその折れを招くことなく正常に保持し得る程度の柔らかさをいう。なお、アクリル樹脂は、アクリル酸エステル樹脂の重合体、或いはメタクリル酸エステル樹脂の重合体であって透明性の高い非晶質の合成樹脂である。
【００４６】
また、遊技板１００ａは上述のごとく透明板であることから、この遊技板１００ａの透明性を有効に活用すべく、当該遊技板１００ａの裏面には種々の装飾用裏部品を配置させることが多い。しかしながら、遊技板１００ａが厚い程、当該遊技板１００ａの透明度が低下する。このため、遊技板１００ａが厚すぎると、遊技板１００ａを介する裏部品に対する透視性が悪化する。一方、薄すぎては、遊技釘の遊技板１００ａに対する打ち込み深さが不足する。このことは、遊技板１００ａの遊技釘に対する支持強度が低下することを意味する。
【００４７】
また、遊技板１００ａの主たる形成材料であるアクリル樹脂は、合成樹脂であって、いわゆるベニヤ積層板のような木に比べて、重い。このため、遊技板１００ａは、厚すぎては、重くなりすぎて扱いにくい。
【００４８】
従って、上述した遊技釘に対する支持強度を適正に確保しつつ遊技板１００ａを軽量としかつ当該遊技板１００ａの透視性を良好に確保し得るように、遊技板１００ａは、この種のパチンコ遊技機において従来から用いられているベニヤ積層板よりも薄く形成されている。
【００４９】
具体的には、本第１実施形態では、遊技板１００ａの板厚は、図４（ａ）にて示すごとく、１０（ｍｍ）である。これに対し、上記ベニヤ積層板の板厚は、図４（ｂ）にて示すごとく、１９（ｍｍ）であるから、遊技板１００ａは、上記ベニヤ積層板よりも９（ｍｍ）だけ薄い。
【００５０】
また、本第１実施形態において、遊技板１００ａには、後述のごとく、複数のくりぬき穴部の加工及び多数の下孔部の加工がなされており、複数のくりぬき穴部は、盤面前構造物群その他の盤面前部品（後述する）の各々を取り付けるためのものである。また、多数の下孔部は、多数の遊技釘を打ち込むためのものである。
【００５１】
補助板１００ｂは、不透明な材料（例えば、ベニヤ板）でもって、図３から分かるように、四角環状に形成されており、この補助板１００ｂは、遊技板１００ａの外周縁部に沿いその裏面側から装着されている。
【００５２】
本第１実施形態では、当該補助板１００ｂは、９（ｍｍ）の厚さを有している。また、補助板１００ｂの遊技板１００ａに対する装着は、例えば、各ビス（図示しない）を、補助板１００ｂの各隅角部の形成した貫通孔部を通して遊技板１００ａの各隅角部に締着することで、なされている。このように、本第１実施形態において、９（ｍｍ）の厚さの補助板１００ｂを遊技板１００ａの裏面に装着するようにしたのは、以下の根拠に基づく。
【００５３】
まず、第１に、従来のパチンコ遊技機の遊技盤においては、ベニヤ積層板が、いわゆる従来の遊技板として汎用的に用いられて現在に到っており、しかも、当該ベニヤ積層板の厚さが、汎用的に、１９（ｍｍ）に定着している。
【００５４】
このため、一般的に、パチンコ遊技機メーカーにおいて遊技盤を製造するにあたっては、上述した１９（ｍｍ）のベニヤ積層板を用いることが通常となっている。従って、上述した薄い透明板を遊技板として用いるにしても、当該遊技板の厚さとして１９（ｍｍ）を維持することが、パチンコ遊技機の汎用性を確保する上で必須である。
【００５５】
第２には、上述の第１の根拠を前提に、遊技盤の製造にあたっては、現用の釘打ち機が、１９（ｍｍ）の厚さの遊技板であるベニヤ積層板に遊技釘を打ち込むように構成されている。
【００５６】
ここで、ベニヤ積層板よりも薄い透明板に釘を打ち込むようにするには、原則的には、別途、新しく釘打ち機を準備する必要がある。しかしながら、新しく釘打ち機を準備することは、不経済なことであって好ましくない。
【００５７】
そこで、本第１実施形態では、新しく釘打ち機を準備するのではなく、既設の釘打ち機を有効に活用する工夫を凝らすことで、解決を図ることとしたものである。
【００５８】
具体的には、９（ｍｍ）の厚さの補助板１００ｂを１０（ｍｍ）の厚さの遊技板１００ａの裏面に固着して、上述した遊技板１００ａの薄さを補うことで、既設の釘打ち機をそのまま活用する道を開いた。
【００５９】
また、当該遊技盤１００は、図２にて示すごとく、遊技釘群１１０及びガイドレール１２０を有している。遊技釘群１１０は、多数の遊技釘１１１（図２及び図４参照）からなるもので、これら遊技釘１１１は、遊技板１００ａの前面（遊技盤１００の盤面）にその遊技領域において所定のパターンでもって分散して打ち込まれている。これにより、遊技釘群１１０は、ガイドレール１２０から後述のように案内される遊技球を、順次、多数の遊技釘１１１の間を通して下方に向けて転動させる。なお、図２にて示すごとく、各所定箇所に打ち込まれた各遊技釘には、各風車１１２が組み付けられている。
【００６０】
ガイドレール１２０は、外側レール部１２０ａ及び内側レール部１２０ｂでもって、構成されており、これら外側レール部１２０ａ及び内側レール部１２０ｂは、上記遊技領域の周囲に沿うように、遊技板１００ａの前面の外周部に組み付けられている。これにより、ガイドレール１２０は、外側レール部１２０ａ及び内側レール部１２０ｂの間を介して、当該遊技盤１００の球発射装置（図示しない）から順次発射される遊技球を上記遊技領域内に案内する。
【００６１】
また、当該遊技盤１００は、図２或いは図３にて示すごとく、盤面前部品群１００ｃ及び盤面裏部品群１００ｄを有している。
【００６２】
盤面前部品群１００ｃは、図２或いは図３にて示すごとく、左右両上側コーナー飾り１３０ａ、１３０ｂ、両左下側コーナー飾り１３０ｃ、１３０ｄ、図柄表示保留器１３０ｅ、並びに盤面前構造物群を構成するセンター構造物１４０、左右両側中央構造物１５０ａ、１５０ｂ、肩チャッカー１６０ａ、ゲート１６０ｂ、スタートチャッカー１６０ｃ及び下側アタッカー１７０を有している。
【００６３】
左右両上側コーナー飾り１３０ａ、１３０ｂのうち、左上側コーナー飾り１３０ａは、図２にて示すような左斜め上側に向けて凸な湾曲片形状を有するもので、当該左上側コーナー飾り１３０ａは、その内周縁部１３１にて、外側レール部１２０ｂの左上側部位の外周に沿うように、遊技板１００ａの前面側からその左上側隅角部に後述のごとく組み付けられている。
【００６４】
一方、右上側コーナー飾り１３０ｂは、図２、図３及び図６にて示すような右斜め上側に向けて凸な湾曲片形状を有するもので、この右上側コーナー飾り１３０ｂは、図２にて示すごとく、その内周縁部１３２にて、外側レール部１２０ｂの右上側部位の外周に沿うように、遊技板１００ａの前面側からその右上側隅角部に後述のごとく組み付けられている。
【００６５】
両左下側コーナー飾り１３０ｃ、１３０ｄのうち、左下側コーナー飾り１３０ｃは、図２にて示すごとく、遊技板１００ａの左下側隅角部に、当該遊技板１００ａの前面側から後述のごとく組み付けられている。一方、左下側コーナー飾り１３０ｄは、図２にて示すごとく、左下側コーナー飾り１３０ｃの右側にて、遊技板１００ａの下縁部に、当該遊技板１００ａの前面側から組み付けられている。また、図柄表示保留器１３０ｅは、図２にて示すごとく、遊技板１００ａの右下側隅角部に、当該遊技板１００ａの前面側から組み付けられている。
【００６６】
上記盤面構造物群のうち、センター構造物１４０は、図２、図３及び図５にて示すごとく、構造物本体１４０ａ及び上側アタッカー１４０ｂを有しており、構造物本体１４０ａは、その中央開口部１４１にて、遊技板１００ａのくりぬき穴部１０１（図３参照）に対向するように、当該遊技板１００ａにその前面側から組み付けられている。
【００６７】
上側アタッカー１４０ｂは、構造物本体１４０ａのうち中央開口部１４１の直上部位に設けられている。これにより、上述のように遊技領域内に案内される遊技球が上側アタッカー１４０ｂに向けて転動したとき、この上側アタッカー１４０ｂが、両開閉素子１４２を開閉させれば、当該遊技球が上側アタッカー１３０ｂの入賞口に入賞する可能性が発生する。
【００６８】
左右両側中央構造物１５０ａ、１５０ｂのうち、左側中央構造物１５０ａは、図２、図３及び図７にて示すごとく、飾り部材１５１と、両チャッカー１５２、１５３を有している。飾り部材１５１は、図７にて示すごとく、円弧状下板１５１ａ、枠状飾り１５１ｂ及び板状飾り１５１ｃでもって構成されている。
【００６９】
下板１５１ａは、左斜め下側に向け凸な円弧板状に形成されており、この下板１５１ａは、その外周縁部にて、図２にて示すごとく、内側レール部１２０ｂの左中央部位にその内周側から沿うように、遊技板１００ａにその前面側から組み付けられている。枠状飾り１５１ｂは、図７にて示すごとく、下板１５１ａの上部に固着されており、一方、板状飾り１５１ｃは、枠状飾り１５１ｂの下方にて、下板１５１ａの上下方向中間部位上に固着されている。
【００７０】
チャッカー１５２は、その両脚部１５２ａより、枠状飾り１５１ｂ及び板状飾り１５１ｃの間にて、下板１５１ａを介し遊技板１００ａのくりぬき穴部１０５にその前面側から嵌装されて組み付けられており、一方、チャッカー１５３は、その両脚部１５３ａより、板状飾り１５１ｃの下方にて遊技板１００ａのくりぬき穴部１０６にその前面側から嵌装されて組み付けられている。
【００７１】
右側中央構造物１５０ｂは、図２、図３及び図８にて示すごとく、円弧状下板１５４と、普通電動構造物１５５と、チャッカー１５６とにより構成されている。円弧状下板１５４は、図８にて示すごとく、右下側に向け凸な円弧板状に形成されており、この円弧状下板１５４は、外側レール部１２０ａ及び内側レール部１２０ｂの各右側対向端部（図３参照）の間にて、ガイドレール１２０の円周方向に沿うように遊技板１００ａにその前面側から装着されている（図２参照）。
【００７２】
普通電動構造物１５５は、下板１５４の上下方向中間部位を介し、遊技板１００ａのくりぬき穴部１０２（図３参照）にその前面側から嵌装されており、この普通電動構造物１５５は、その羽根部材１５５ａの左右方向への傾動により、普通入賞口を開閉する。これにより、普通電動構造物１５５に向け上方から転動する遊技球が上記普通入賞口に入賞する可能性が発生する。なお、チャッカー１５６は、飾り本体１５４の下部を介し、遊技板１００ａのくりぬき穴部１０７にその前面側から嵌装されて組み付けられている（図２参照）。
【００７３】
肩チャッカー１６０ａは、図９にて示す外形形状を有するもので、この肩チャッカー１６０ａは、その両脚部１６１より、センター構造物１４０の左側にて、遊技板１００ａのくりぬき穴部１０４にその前面側から嵌装されて組み付けられている（図２参照）。
【００７４】
ゲート１６０ｂは、図１０にて示す外形形状を有するもので、このゲート１６０ｂは、その両脚部１６２より、センター構造物１４０の右側にて、遊技板１００ａのくりぬき穴部１０９にその前面側から嵌装されて組み付けられている（図２参照）。
【００７５】
スタートチャッカー１６０ｃは、図１１にて示す外形形状を有するもので、このスタートチャッカー１６０ｃは、その両脚部１６３より、センター構造物１４０の中央直下にて、遊技板１００ａのくりぬき穴部１０３の上部にその前面側から嵌装されて組み付けられている（図２参照）。
【００７６】
下側アタッカー１７０は、図２にて示すごとく、スタートチャッカー１６０ｃの直下にて、遊技板１００ａに組み付けられているもので、当該下側アタッカー１７０は、図１２にて示すごとく、アタッカー本体１７０ａと、台板１７０ｂと、開閉板１７０ｃとにより構成されている。
【００７７】
しかして、当該下側アタッカー１７０は、アタッカー本体１７０ａを遊技板１００ａのくりぬき穴部１０３（図３参照）の下部にその前面側から嵌装するとともに、台板１７０ｂをアタッカー本体１７０ａの前面及び遊技板１００ａのくりぬき穴部１０３の下部に装着することで、組み付けられている。なお、開閉板１７０ｃは、台板１７０ｂの大入賞口である開口部１７１に上下方向に開閉可能に支持されている。
【００７８】
これにより、当該下側アタッカー１７０に向け上方から転動する遊技球が、開閉板１７０ｃの開放に伴い、開口部１７１に入賞する可能性が生ずる。
【００７９】
盤面裏部品群１００ｄは、図３にて示すごとく、両円弧状装飾板１８０ａ及び裏ケーシング１８０ｂを有している。両円弧状装飾板１８０ａは、補助板１００ｂの中空部内に位置するように、遊技板１００ａにその裏面側から固着されている。なお、当該両装飾板１８０ａの表面（遊技板１００ａ側の面）には、所定のデザインが施されている。
【００８０】
裏ケーシング１８０ｂは、図３及び図１３にて示すごとく、リング状ケーシング本体１８１と、連結部材１８２と、複数の裏付属部品１８３とを有している。ケーシング本体１８１は、その下縁部にて切り割り状に形成されており、このケーシング本体１８１の両対向切り割り対向端部には、連結部材１８２が連結されている。
【００８１】
リング状ケーシング本体１８１は、装飾帯１８１ａを有しており、この装飾帯１８１ａは、図３或いは図１３にて示すごとく、ケーシング本体１８１の内面（遊技板１００ａ側の面）にてその外周部に沿い形成されて、視覚的に訴える装飾効果を発揮する。複数の裏付属部品１８３は、ケーシング本体１８１の内面からその内周部側にて遊技板１００ａ側に向けて突出するように形成されている。
【００８２】
このように構成した裏ケーシング１８０ｂにおいては、ケーシング本体１８１が、その中央穴部１８４にて、遊技板１００ａのくりぬき穴部１０１に対向して位置するように、補助板１００ｂを介して遊技板１００ａに組み付けられている。このとき、装飾帯１８１は、補助板１００ｂの中空部を介し遊技板１００ａに対向し、連結部材１８２は、センター構造物１４０の下部に遊技板１００ａを介し対向し、また、複数の裏付属部品１８３は、補助板１００ｂの中空部内に向け突出している。
【００８３】
また、遊技盤１００は、図２にて示すごとく、画像表示器１９０を有しており、この画像表示器１９０は、液晶表示器により構成されて、遊技板１００ａのくりぬき穴部１０１（図３参照）にその後方から補助板１００ｂの中空部を通して組み付けられている。
【００８４】
次に、以上のように構成した遊技盤１００の製造方法について説明する。図１４にて示す透明板成形工程Ｓ１において、上記ゴムを上記アクリル樹脂の粉末に対し上記混合割合にて均一に混合してなる上記混合材料を用いて、樹脂射出成型機（図示しない）により、厚さ１０（ｍｍ）の透明板１０（図１５参照）を射出成形する。なお、当該透明板１０は、上述した遊技板１００ａに対応するものである。
【００８５】
ついで、位置決め用基準孔形成工程Ｓ２（図１４参照）において、位置決め用の両基準孔部１２を、上述のように成形した透明板１０の両対向隅角部１１に対し、貫通状に形成する（図１６参照）。なお、両基準孔部１２は、後の各工程において、透明板１０に対し加工処理を施すにあたり、当該透明板１０の位置決めのために用いられる。
【００８６】
このようにして位置決め用基準孔形成工程Ｓ２の処理が終了すると、次のくりぬき穴形成工程Ｓ３（図１４参照）において、透明板１０に対する複数のくりぬき穴部の形成が次のようにしてなされる。
【００８７】
即ち、このくりぬき穴形成工程Ｓ３においては、まず、上述のように両基準孔部１２を形成した透明板１０を、図示しない自動ルータ加工装置（自動くりぬき穴加工装置）のテーブル上に設置する。このとき、透明板１０は、その両基準孔部１２を基準に位置決めすることで上記テーブル上に設置される。
【００８８】
然る後、上記自動ルータ加工装置を作動状態におけば、上記テーブルが、その直上に位置する刃物と共に、透明板１０に対する所定のくりぬき穴形成データに基づき、平面（Ｘ−Ｙ平面）上にてＸ方向或いはＹ方向に移動しながら、上記刃物により、図１７にて示すごとく、複数のくりぬき穴部１３ａ〜１３ｃ、１４ａ〜１４ｅを、複数の小孔部１５ａ〜１５ｄ及び両切り欠き部１６ａ、１６ｂと共に、透明板１０に形成する。
【００８９】
本第１実施形態において、くりぬき穴部１３ａは遊技板１００ａの画像表示器１９０用くりぬき穴部１０１（図３参照）に相当し、くりぬき穴部１３ｂは、遊技板１００ａにおける右側中央構造物１５０ｂの普通電動構造物１５５用くりぬき穴部１０２（図３参照）に相当し、また、くりぬき穴部１３ｃは、遊技板１００ａにおけるスタートチャッカー１６０ｃ及び下側アタッカー１７０の双方用のくりぬき穴部１０３（図３参照）に相当する。
【００９０】
また、各くりぬき穴部１４ａ〜１４ｅにおいて、くりぬき穴部１４ａは、遊技板１００ａにおける肩チャッカー１６０ａ用くりぬき穴部１０４（図３参照）に相当し、くりぬき穴部１４ｂは、チャッカー１５２用くりぬき穴部１０５（図３参照）に相当し、また、くりぬき穴部１４ｃは、チャッカー１５３用くりぬき穴部１０６（図３参照）に相当する。
【００９１】
くりぬき穴部１４ｄは、遊技板１００ａにおけるチャッカー１５６用くりぬき穴部１０７（図３参照）に相当し、また、くりぬき穴部１４ｅは、遊技板１００ａにおけるゲート１６０ｂ用のくりぬき穴部１０９（図３参照）に相当する。
【００９２】
また、両小孔部１５ａは、遊技板１００ａにおける左上側飾り１３０ａの組み付け用小孔部に相当し、両小孔部１５ｂは、遊技板１００ａにおける右上側飾り１３０ｂの組み付け用小孔部に相当する。また、両小孔部１５ｃは、遊技板１００ａにおける左下側飾り１３０ｃの用組み付け用小孔部に相当し、両小孔部１５ｄは、遊技板１００ａにおける左下側飾り１３０ｄの用組み付け用小孔部に相当する。
【００９３】
上述のようにしてくりぬき穴形成工程Ｓ３の処理が終了すると、次のベニヤ環状板形成工程Ｓ４（図１４参照）において、９（ｍｍ）の厚さを有するベニヤ板を、透明板１０の裏面外周部に対応するように四角環状に加工形成する。これにより、上記ベニヤ板が、９（ｍｍ）の厚さのベニヤ環状板１０ａ（図１８参照）として形成される。このことは、ベニヤ環状板１０ａが、上述のように構成した補助板１００ｂに相当することを意味する。
【００９４】
次の下孔形成工程Ｓ５（図１４参照）において、透明板１０に対する多数の遊技釘１１１用の多数の下孔部１７の形成が次のようにしてなされる。
【００９５】
即ち、この下孔形成工程Ｓ５においては、上述のように複数のくりぬき穴部を形成した透明板１０を、数値制御型自動ボール盤（図示しない）のテーブル上に設置する。このとき、透明板１０を、その両基準孔部１２を基準にして、自動ボール盤の上記テーブル上に位置決めして設置する。
【００９６】
然る後、上記自動ボール盤を作動状態におけば、当該自動ボール盤のテーブルが、その直上に位置するドリルと共に、透明板１０に対する所定の下孔形成データに基づき、平面（Ｘ−Ｙ平面）上にてＸ方向或いはＹ方向に移動しながら、上記ドリルにより、多数の下孔部１７を、透明板１０に形成する（図１７参照）。これにより、このように下孔部形成した後の透明板１０が遊技板１００ａに相当する。
【００９７】
このようにして下孔形成工程Ｓ５の処理が終了すると、次のベニヤ環状板固着工程Ｓ６（図１４参照）において、上述のように準備された環状ベニヤ環状板１０ａを透明板１０の裏面に重畳的に固着する。このことは、環状ベニヤ環状板１０ａを透明板１０に固着した構成が、上述のように補助板１００ｂを遊技板１００ａに固着した構成に相当することを意味する。
【００９８】
ついで、次の釘打ち工程Ｓ７（図１４参照）において、透明板１０に対する釘打ち処理が、釘打ち機２００（図２０参照）を用いてなされる。本第１実施形態において、当該釘打ち機２００としては、株式会社宮山技術研究所製ＭＴ−１１型自動釘打ち機が採用されている。
【００９９】
当該釘打ち機２００は、図２０にて示すごとく、設置面上に配設される装置本体２１０を備えており、この装置本体２１０には、テーブル機構２２０、釘打ち機構２３０、操作ボックス２４０及び異常検出機構２５０が配設されている。
【０１００】
テーブル機構２２０は、可動板２２１と、スライダー２２２と、テーブル２２３とにより構成されており、可動板２２１は、装置本体２１０上にてＸ方向（図２０にて図示矢印Ｘ方向参照）に変位可能に支持されている。
【０１０１】
スライダー２２２は、装置本体２１０上にて、可動板２２１に対しＹ方向（図２０にて図示矢印Ｙ方向参照）に変位可能に、かつ、可動板２２１とともにＸ方向に変位可能となるように支持されている。テーブル２２３は、その上面を水平状に維持するように、スライダー２２２上に固定されている。但し、当該釘打ち機２００においては、テーブル２２３の上面が遊技釘の打ち込みのための基準面として予め設定されており、遊技釘の打ち込み開始面が、上記基準面から１９（ｍｍ）上方の高さの位置となるように、設定されている。このことは、テーブル２２３上に載置される物体の板厚が１９（ｍｍ）であることを意味する。
【０１０２】
しかして、当該テーブル機構２２０においては、可動板２２１は、装置本体２１０内の制御ユニット（図示しない）による制御のもとに、所定の釘打ち込み位置データに応じて、スライダー２２２及びテーブル２２３と共にＸ方向へ水平状に移動し、また、スライダー２２２は、上記制御ユニットによる制御のもとに、上記釘打ち込み位置データに応じて、テーブル２２３と共にＸ方向に水平状に移動する。
【０１０３】
釘打ち機構２３０は、図２０或いは図２１から分かるように、カバー２３１と、８個のチャック２３２、チャック押動子２３３及びそり検出器２３４とを有する。カバー２３１は、その上壁内面中央部から下方に向けて延出する支柱２３１ａにより、図２０にて示すごとく、テーブル機構２２０の後方にて、装置本体２１０の左側後部上に支持されている。
【０１０４】
８個のチャック２３２は、支柱２３１ａの軸周りに等角度間隔にて位置するように、支柱２３１ａにより、その軸周りに回転可能にかつ上下方向に変位可能に支持されて、カバー２３１の下方へ延出している。これにより、これらチャック２３２は、装置本体２１０による駆動のもと、支柱２３１ａの軸周りに回転し、４５°回転する毎に一定時間の間停止するようになっている。ここで、８個のチャック２３２は、順次、図２１にて符号Ｐｒにて示す回転角位置（支柱２３１ａの軸の直後の位置）にて停止する毎に、釘フィーダ２３５（図２１参照）から釘供給レール２３５ａを介し順次供給される遊技釘（上述した遊技釘１１１に相当する）をチャックする。
【０１０５】
チャック押動子２３３は、図２１にて符号Ｐｆにて示す回転角位置（支柱２３１ａの軸の直前の位置）に達するチャック２３２の直前の位置にて、支柱２３１ａにより上下方向に軸動可能に支持されている（図２０及び図２１参照）。しかして、当該チャック押動子２３３は、装置本体２１０による駆動のもと、回転角位置Ｐｆに達するチャック２３２の停止毎に、当該チャック２３２を下方へ押動するように軸動し、上記一定時間の経過時に当該チャック２３２を解放により上方へ軸動させるように上方へ軸動する。
【０１０６】
操作ボックス２４０は、釘打ち機構２３０の近傍にて、装置本体２１０の上方に支持されており、この操作ボックス２４０は、釘打ち機構２３０による釘打ち作動を行うときに操作される。
【０１０７】
異常検出機構２５０は、図２０にて示すごとく、発光部２５１及び受光部２５２を有しており、これら発光部２５１及び受光部２５２は、装置本体２１０の左右両壁の各前後方向中間部位から上方へ延出している。これにより、異常検出機構２５０は、発光部２５１からの光に対する受光部２５２の受光状態に応じて、テーブル２２３上に後述のように載置される透明板１０の前面（図２０では上面）の異常を検出する。
【０１０８】
また、上述のような釘打ち機２００の採用にあわせて、底上げ治具１０ｂ（図２２参照）が準備される。その根拠は次の通りである。
【０１０９】
即ち、補助板１００ｂに相当するベニヤ環状板１０ａは上述のごとく環状に形成されていることから、当該ベニヤ環状板１０ａはその内周側において中空部を有する。
【０１１０】
このため、上述のようにベニヤ環状板１０ａを透明板１０に固着した状態で当該透明板１０に対し釘打ち処理を施すにあたり、透明板１０を、釘打ち機２００ａのテーブル２２３上に、ベニヤ環状板１０ａを下側にして載置したとき、透明板１０のうちベニヤ環状板１０ａに対応する環状部位は、ベニヤ環状板１０ａを介してテーブル２２３上に支持されるものの、透明板１０のうちベニヤ環状板１０ａの四角板状中空部に対応する部位（中央部位）は、テーブル２２３上に支持されることなく、当該テーブル２２３の上面から浮いた状態に維持される。
【０１１１】
従って、透明板１０の上記中央部位に対し釘打ち処理を施すとき、釘打ち機２００による遊技釘の打ち込み力が非常に強いために、当該中央部位が上述のようにテーブル２２３の上面から浮いた状態では、上記中央部位が、釘打ち機２００による遊技釘の打ち込みに伴いテーブル２２３側へ湾曲する。このため、釘を的確に打ち込むことができないばかりか透明板１０に亀裂や破壊が生ずるおそれがある。
【０１１２】
以上のようなことを考慮して、透明板１０に対する底上げを図るべく、ベニヤ環状板１０ａの四角板状中空部と同一の外形形状（図２２参照）を有する９（ｍｍ）の厚さの治具を、上述した底上げ治具１０ｂとして準備することとした。
【０１１３】
しかして、上述のごとく、釘打ち工程Ｓ７において透明板１０に対し釘打ち処理を行うにあたり、上述のようにベニヤ環状板固着工程Ｓ６において透明板１０に固着したベニヤ環状板１０ａの中空部内に底上げ治具１０ｂを嵌合する。然る後、透明板１０を、ベニヤ環状板１０ａ及び底上げ治具１０ｂを下側にして、釘打ち機２００ａのテーブル２２３上に載置固定する。
【０１１４】
これによれば、ベニヤ環状板１０ａ及び底上げ治具１０ｂが上述のような構成を有することから、透明板１０の全体が、ベニヤ環状板１０ａ及び底上げ治具１０ｂを介してテーブル２２３の上面上にしっかりと支持され得る。
【０１１５】
ここで、透明板１０は、その両基準孔部１２を基準にテーブル２２３上に位置決め固定される。このとき、テーブル２２３の初期位置は、透明板１０に対するすべての遊技釘の打ち込みを円滑に行うことができるように、図２０にて図示位置に設定される。詳細には、透明板１０のうち図２０にて図示左側基準孔部１２を含む隅角部が、上述した回転角位置Ｐｆ（図２１参照）に設定される。
【０１１６】
このように透明板１０をベニヤ環状板１０ａと共に初期的に位置決め固定した後、釘打ち機２００が、操作ボックス２４０の操作に伴い、釘打ち作動状態におかれると、８個のチャック２３２が、支柱２３１ａの軸周りに回転し、４５°回転する毎に上記一定時間の間停止する。このような回転過程においては、８個のチャック２３２は、順次、回転角位置Ｐｒ（図２１参照）にて停止する毎に、釘フィーダ２３５から釘供給レール２３５ａを介し順次供給される遊技釘をチャックする（図２３（ａ）参照）。
【０１１７】
そして、８個のチャック２３２が、順次、回転角位置Ｐｆ（図２１参照）に達して停止する毎に、チャック押動子２３３が、回転角位置Ｐｆにあるチャック２３２を下方へ押動する（図２３（ｂ）（ｃ）にて各矢印Ｒ１参照）。これにより、回転角位置Ｐｆに位置するチャック２３２によりチャック済みの遊技釘１１１が、透明板１０にその下孔部１７を介して打ち込まれる。
【０１１８】
然る後、８個のチャック２３２は、上記一定時間の経過に伴い、チャック押動子２３３の上方へ軸動（図２３（ｄ）にて図示矢印Ｒ２参照）により当該チャック押動子２３３から解放されて上動する。このとき、テーブル２２３が、スライダー２２２により、Ｙ方向に沿い装置本体２１０の前方（図２３（ｅ）にて図示矢印Ｒ３参照）に向けて移動されて、上述のように透明板１０に打ち込んだ遊技釘１１１をチャック２３２から前方へ解放し、然る後、可動板２２１によりＸ方向に沿い図１７にて図示左側へ移動し、ついで、可動板２２１により、Ｙ方向に沿い装置本体２１０の後方（図２３（ｆ）にて図示矢印Ｒ４参照）に向け移動される。以下、テーブル２２３は、Ｙ方向への直線的移動のもとに、Ｘ方向へジグザグ状に移動しながら、上述と同様にして透明板１０に対する遊技釘の打ち込みが順次なされる（図２２参照）。なお、すべての遊技釘１１１の打ち込みの終了後、上記各所定箇所に打ち込まれた各遊技釘には、各風車１１２が組み付けられる（図２参照）。
【０１１９】
上述のような遊技釘の打ち込みにあたっては、上述のごとく、当該釘打ち機２００においては、釘打ちのための基準面がテーブル２３２の上面で設定されており、釘打ちの開始面が、上記基準面の上方である１９（ｍｍ）の位置に設定されている。
【０１２０】
これに対し、遊技板１００ａに相当する透明板１０の厚さが１０（ｍｍ）と薄いものの、補助板１００ｂに相当するベニヤ環状板１０ａの厚さが９（ｍｍ）となっていることから、ベニヤ環状板１０ａ及び透明板１０の双方の厚さの和が１９（ｍｍ）である。従って、ベニヤ環状板１０ａが、透明板１０の薄さを補う役割を果たし、当該透明板１０の前面（上面）を、上述した釘打ちの開始面に正しく維持する。
【０１２１】
しかも、透明板１０が、上述のごとく、補助板１０ａ（ベニヤ環状板１０ｂ）及び底上げ治具１０ｂの双方でもって、全体的に、テーブル２２３の上面上にしっかりと支持されている。従って、上述した釘打ち機２００による透明板１０に対する遊技釘の打ち込み力が強くても、透明板１０が撓んだり破壊したりすることなく、各遊技釘１１１を透明板１０に対し適正な打ち込み深さにて適正な向きにてしっかりと打ち込むことができる。その結果、各遊技釘１１１は、透明板１０によりしっかりと支持され得る。なお、遊技釘１１１の適正な打ち込み深さは、図４（ａ）にて示すごとく、透明板１０（遊技板１００ａ）の前面（図示上面）からの遊技釘１１１の首下露出長さを２０（ｍｍ）としたときの透明板１０に対する打ち込み深さをいう。
【０１２２】
以上のようにして釘打ち工程Ｓ７の処理が終了すると、次のガイドレール組み付け工程Ｓ８（図１４参照）において、外側レール部１２０ａ及び内側レール部１２０ｂを、図２４にて示すごとく、透明板１０の前面に上記遊技領域の周囲に沿い組み付ける。なお、この組み付けにあたっては、透明板１０を、ベニヤ環状板１０ａ及び底上げ治具１０ｂと共に、釘打ち機２００のテーブル２２３上から外した後、当該透明板１０から底上げ治具１０ｂのみを除去する。
【０１２３】
ついで、盤面前部品組み付け工程Ｓ９（図１４参照）において、盤面前部品群１００ｃ（図３参照）、即ち、左右両上側コーナー飾り１３０ａ、１３０ｂ、両左下側コーナー飾り１３０ｃ、１３０ｄ、図柄表示保留器１３０ｅ、並びに盤面前構造物群を構成するセンター構造物１４０、左右両側中央構造物１５０ａ、１５０ｂ、肩チャッカー１６０ａ、ゲート１６０ｂ、スタートチャッカー１６０ｃ及び下側アタッカー１７０を透明板１０にその前面側から組み付ける。
【０１２４】
具体的には、左右両上側コーナー飾り１３０ａ、１３０ｂのうち、左上側コーナー飾り１３０ａ（図２参照）が、その両脚部（図示しない）から透明板１０の両小孔１５ａ（図２２参照）に嵌装することで、外側レール部１２０ｂの左上側部位に沿い組み付けられる。一方、右上側コーナー飾り１３０ｂは、その両脚部（図示しない）から透明板１０の両小孔部１５ｂ（図１９参照）に嵌装することで、外側レール部１２０ｂの右上側部位に沿い組み付けられる。
【０１２５】
両左下側コーナー飾り１３０ｃ、１３０ｄのうち、左下側コーナー飾り１３０ｃは、その両脚部（図示しない）から透明板１０の両小孔部１５ｃ（図１９参照）に嵌装することで、透明板１０の左下側隅角部に組み付けられている。一方、左下側コーナー飾り１３０ｄは、その両脚部（図示しない）から透明板１０の両小孔部１５ｄ（図２２参照）に嵌装することで、透明板１０の下縁部に組み付けられる。また、図柄表示保留器１３０ｅは、透明板１０の右下側隅角部に組み付けられる。
【０１２６】
さらに、上述の盤面前構造物群において、センター構造物１４０が、構造物本体１４０ａの中央開口部１４１にて、透明板１０のくりぬき穴部１３ａ（図１９参照）に対向するように、透明板１０にその前面側から組み付けられる（図２参照）。
【０１２７】
左右両側中央構造物１５０ａ、１５０ｂのうち、左側中央構造物１５０ａは、その下板１５１ａを内側レール部１２０ｂの左中央部位にその内周側から沿うように位置させて、透明板１０にその前面側から組み付けられる。
【０１２８】
ここで、チャッカー１５２は、その両脚部１５２ａから、下板１５１ａを介し透明板１０のくりぬき穴部１４ｂにその前面側から嵌装することで、透明板１０に組み付けられ、一方、チャッカー１５３は、その両脚部１５３ａから、下板１５１ａを介し透明板１０のくりぬき穴部１４ｃにその前面側から嵌装することで、透明板１０に組み付けられる。
【０１２９】
右側中央構造物１５０ｂは、その下板１５４を、外側レール部１２０ａ及び内側レール部１２０ｂの各右側対向端部の間にて、ガイドレール１２０の円周方向に沿うように装着することで、透明板１０にその前面側から組み付けられる。ここで、普通電動構造物１５５は、下板１５４の上下方向中間部位を介し、透明板１０のくりぬき穴部１３ｂ（図１９参照）にその前面側から嵌装される。また、チャッカー１５６は、その両脚部（図示しない）から透明板１０のくりぬき穴部１４ｄ（図１９参照）にその前面側から嵌装することで透明板１０に組み付けられる。
【０１３０】
肩チャッカー１６０ａは、その両脚部１６１から、透明板１０のくりぬき穴部１４ａ（図１９参照）にその前面側から嵌装することで、透明板１０に組み付けられる。ゲート１６０ｂは、その両脚部１６２から、透明板１０のくりぬき穴部１４ｅ（図１９参照）にその前面側から嵌装することで、透明板１０に組み付けられる。
【０１３１】
スタートチャッカー１６０ｃは、その両脚部１６３から透明板１０のくりぬき穴部１３ｃの上部内に嵌装することで、透明板１０にその前面側から組み付けられる。また、下側アタッカー１７０は、透明板１０のくりぬき穴部１３ｃ（図１９参照）の下部内に嵌装されて透明板１０にその前面側から組み付けられる。
【０１３２】
以上のようにして盤面前部品組み付け工程Ｓ９の処理が終了すると、次の画像表示器組み付け工程Ｓ１０において、画像表示器１９０を、ベニヤ環状板１０ａの中空部を介し透明板１０のくりぬき穴部１３ａに組み付ける。
【０１３３】
ついで、次の盤面裏部品組み付け工程Ｓ１１（図１４参照）において、盤面後部品群１００ｄ（図３参照）、即ち、両装飾板１８０ａ及び裏ケーシング１８０ｂを、透明板１０にその裏面側から組み付ける。
【０１３４】
具体的には、両装飾板１８０ａが、ベニヤ環状板１０ｂの中空部内に位置するように、透明板１０にその裏側から固着される。ついで、裏ケーシング１８０ｂが、ケーシング本体１８１の中央穴部１８４を透明板１０のくりぬき穴部１３ａ（図１９参照）に対向して位置させて、ベニヤ環状板１０ｂに組み付けられる。この組み付けに伴い、装飾帯１８１が、ベニヤ環状板１０ｂの中空部を介し透明板１０に対向し、連結部材１８２が、センター構造物１４０の下部に透明板１０を介し対向し、また、複数の裏付属部品１８３が、ベニヤ環状板１０ｂの中空部内に向け突出する。
【０１３５】
以上のような各工程を経て、透明板１０に相当する遊技板１００ａ及びベニヤ環状板１０ａに相当する補助板１００ａを一体的に備えた遊技盤１００の製造が終了する。
【０１３６】
以上説明したように、本第１実施形態では、釘打ち機２００が上述した仕様を有する既設の釘打ち機であるが、上述のように、ベニヤ環状板１０ａ及び底上げ治具１０ｂを利用して遊技釘１１１の透明板１０に対する打ち込み構成に工夫を凝らすことで、当該既設の釘打ち機を有効に活用した遊技盤の製造方法の提供が可能となる。
【０１３７】
ここで、透明板１０が、上述のようにゴムをアクリル樹脂に上記所定の混合割合にて混合した混合材料でもって形成されるので、遊技釘１１１を、透明板１０に対し、その亀裂や破損を招くことなく、打ち込むことが、より一層良好になされ得る。
【０１３８】
また、上述のごとく、透明板１０に両位置決め用基準孔部１２を形成して、この両基準孔部１２を基準にして、透明板１０に対し、上述した複数のくりぬき穴部や多数の下孔部を形成するようにしたので、透明板１０に対するくりぬき穴部や下孔部の形成位置が精度よく確保され得る。従って、その後の透明板１０に対する加工処理や組み付け処理が良好になされ得る。
【０１３９】
以上によれば、遊技板１００ａとして透明板１０を活用することで、当該透明板１０が薄くても、その透視範囲を広く確保しつつ当該透明板１０に対する遊技釘１１１の適正な打ち込み深さの確保により支持強度を十分に確保するようにしたパチンコ遊技機用遊技盤の提供が可能となる。
【０１４０】
また、この製造方法により製造された遊技盤においては、遊技板１００ａがその全体に亘り透明板１０で構成されていることから、遊技板１００ａの透視範囲を大幅に拡大することができる。従って、遊技板１００ａの裏面側に位置する裏ケーシング１８０ａその他の盤面裏部品群１００ｄを、広い範囲にて、遊技板１００ａを通して視認することができる。
【０１４１】
ここで、透明板１０、即ち、遊技板１００ａは、上述のごとく、その前面側から盤面裏部品群１００ｄを目視により良好に透視し得るように１０（ｍｍ）の厚さに形成されていることから、透明板１０の透視性を良好に確保することができる。
【０１４２】
また、当該透明板１０は、１０（ｍｍ）の厚さを有することから、遊技釘１１１の適正な打ち込み深さを確保し得る。従って、当該透明板１０に打ち込まれた遊技釘１１１は、当該透明板１０によりしっかりと支持され得る。
【０１４３】
なお、遊技板１００ａと裏ケーシング１８０ａとの間には補助板１００ｂが介装されていることから、遊技板１００ａが、従来のパチンコ遊技機における遊技板よりも薄くても、補助板１００ｂに遊技板１００ａの薄さを補わせることで、従来の遊技板と同様の厚さを確保することができるので、特に支障はない。
（第２実施形態）
次に、本発明の第２実施形態について説明する。この第２実施形態では、上記第１実施形態にて述べた遊技盤１００において、補助板３００が、図２５〜図２７にて示すごとく、補助板１００ｂに代えて、採用された構成となっている。
【０１４４】
当該補助板３００は、不透明な材料（例えば、ベニヤ板）でもって、図２６にて示すごとく、四角環状に形成されており、この補助板３００は、上記第１実施形態にて述べた遊技板１００ａの外周部に沿いその裏面側から固着されている。
【０１４５】
この固着は、具体的には、次のようになされている。補助板３００は、図２６にて示すごとく、両切り欠き部３１０を有しており、これら両切り欠き部３１０は、補助板３００のうち、図２６の図示左下隅角部及び図示右上隅角部（上記第１実施形態にて述べた透明板１０の両対向隅角部１１に対応する）において、その裏面側から凹状に切り欠き形成されている（図２８及び図２９参照）。
【０１４６】
ここで、当該両切り欠き部３１０は、断面略四角形状となっており、これら両切り欠き部３１０の各底壁部３１１には、両位置決め孔部３１２（図２６参照）が、上記第１実施形態にて述べた透明板１０の両位置決め用基準孔部１２に同軸的に対応するように形成されている。また、当該両切り欠き部３１０の各底壁部３１１には、両筒状ボス部３１３が、図２６にて示すごとく、貫通状に突出形成されている。なお、両筒状ボス部３１３の突出端面と補助板３００の裏面との間の間隔は、ボルト３２１（図２５参照）の頭部の軸長以上の値となっている。
【０１４７】
また、補助板３００は、図２５及び図２６にて示すごとく、両段付き固着孔部３２０を有しており、当該両段付き固着孔部３２０は、補助板３００の図２６にて図示左上側隅角部及び図示右下隅角部に貫通状に形成されている。なお、補助板３００の裏面側に位置する各段付き固着孔部３２０の大径孔部の深さは、ボルト３２２（図２５参照）の頭部の軸長以上の値を有する。
【０１４８】
しかして、補助板３００が、その前面にて、図２５或いは図２７にて示すごとく、遊技板１００ａにその裏面側から重畳された状態において、各ボルト３２１が、図２５にて例示するごとく、補助板３００の各段付き固着孔部３２０を通して遊技板１００ａの各固着孔部（各段付き固着孔部３２０と同軸的に位置するように遊技板１００ａに形成されている。）に締着され、かつ、各ボルト３２２が、図２５にて例示するごとく、補助板３００の各筒状ボス部３１３を通して遊技板１００ａの各他の固着孔部（各筒状ボス部３１３と同軸的に位置するように遊技板１００ａに形成されている。）に締着されている。
【０１４９】
これにより、補助板３００が遊技板１００ａに固着されている。また、このような固着状態においては、両位置決め孔部３１２が、上記第１実施形態にて述べた透明板１０の両基準孔部１２に対応する遊技板１００ａの両位置決め孔部に同軸的に対応している。その他の構成は、上記第１実施形態と同様である。
【０１５０】
以上のように構成した本第２実施形態における遊技盤１００の製造方法において、上記第１実施形態と同様にくりぬき穴形成工程Ｓ３（図１４参照）の処理が終了すると、次のベニヤ環状板形成工程Ｓ４において、９（ｍｍ）の厚さを有するベニヤ板を、透明板１０の裏面外周部に対応するように四角環状に加工形成する。そして、このように四角環状に形成したベニヤ板を、上述した補助板３００と同一の構成となるように加工形成する。これにより、上記ベニヤ板が、９（ｍｍ）の厚さのベニヤ環状板３００ａ（図３０参照）として形成される。このことは、ベニヤ環状板３００ａが、上述のように構成した補助板３００に相当することを意味する。
【０１５１】
ここで、ベニヤ環状板３００ａは、図３０にて示すごとく、補助板３００の各切り欠き部３１０及び各段付き固着孔部３２０に対応する各切り欠き部３０１及び各段付き固着孔部３０２を有する。また、各切り欠き部３０１は、各切り欠き部３１０の底壁部３１１、位置決め孔部３１２及び筒状ボス部３１３に対応する底壁部３０３、位置決め孔部３０４及び筒状ボス部３０５を有する。
【０１５２】
ついで、上記第１実施形態にて述べたベニヤ環状板固着工程Ｓ６（図１４参照）において、上述のように準備された環状ベニヤ環状板３００ａを、上記第１実施形態にて述べた透明板１０の裏面に対し、次のようにして重畳的に固着する。
【０１５３】
まず、環状ベニヤ環状板３００ａを透明板１０の裏面に重畳する（図３１及び図３２参照）。但し、ベニヤ環状板３００ａの各位置決め孔部３０４が、透明板１０の各基準孔部１２に同軸的に対応するように、環状ベニヤ環状板３００ａを透明板１０に重畳する。
【０１５４】
このような状態において、各ボルト３２１を、環状ベニヤ環状板３００ａの各段付き固着孔部３０２を通して透明板１０の各上記固着孔部に締着し、かつ、各ボルト３２２を、環状ベニヤ環状板３００ａの各筒状ボス部３０５を通して透明板１０の各上記他の固着孔部に締着する。これにより、環状ベニヤ環状板３００ａが透明板１０に固着される。このことは、環状ベニヤ環状板３００ａを透明板１０に固着した構成が、上述のように補助板３００を遊技板１００ａに固着した構成に相当することを意味する。
【０１５５】
上述のように、ベニヤ環状板固着工程Ｓ６の処理が終了すると、上記第１実施形態にて述べた釘打ち工程Ｓ７において、上記第１実施形態にて述べた釘打ち機２００に依る釘打ち処理を行う。この釘打ち処理にあたり、透明板１０に対する底上げを図るために、底上げ治具３００ｂ（図３１〜図３４参照）が、上記第１実施形態にて述べた底上げ治具１０ｂ（図２２参照）に代えて、準備される。
【０１５６】
当該底上げ治具３００ｂは、図３３及び図３４にて示すごとく、治具本体３３０及び両フランジ３４０でもって、一体的に構成されている。治具本体３３０は、９（ｍｍ）の厚さでもって、ベニヤ環状板３００ａの四角板状中空部と同一の外形形状を有するように形成されている。
【０１５７】
両フランジ３４０は、治具本体３３０のうち図３３にて図示左下隅角部３３１及び図示右上隅角部３３２から治具本体３３０の外方へ互いに逆向きに延出するように、治具本体３３０と一体的に形成されている。
【０１５８】
ここで、当該両フランジ３４０は、それぞれ、ベニヤ環状板３００ａの各切り欠き部３０１内にその裏面側から嵌合するように、当該各切り欠き部３０１の内部形状に対応する外形形状に形成されている（図３１参照）。
【０１５９】
但し、各フランジ３４０は、その裏面にて、治具本体３３０の裏面と同一平面内に位置するように形成されており、当該各フランジ３４０の厚さが各切り欠き部３０１の深さに一致するように、各フランジ３４０の前面３４１は、治具本体３３０の厚さから各切り欠き部３０１の深さを減じた厚さ分だけ、当該各フランジ３４０をその前面側から切除することで形成されている（図３４参照）。また、各フランジ３４０には、ベニヤ環状板３００ａの各筒状ボス部３０５を挿通させるように貫通孔部３４２が形成されている（図３３及び図３４参照）。
【０１６０】
また、各フランジ３４０は、図３４にて示すごとく、位置ずれ防止ロッド部３４３を有しており、当該各位置ずれ防止ロッド部３４３は、透明板１０の各基準孔部１２と同軸的に位置すべく、各フランジ３４０にその前面３４１から前方へ突出形成されている。但し、フランジ３４０ごとに、その裏面にて、位置決め孔部３４３ａが、透明板１０の基準孔部１２に同軸的に対応する部位に凹状に形成されている。
【０１６１】
しかして、上述のごとく釘打ち工程Ｓ７において透明板１０に対し釘打ち処理を行うにあたり、上述のようにベニヤ環状板固着工程Ｓ６において透明板１０に固着したベニヤ環状板３００ａの四角状中空部内にその裏面側から底上げ治具３００ｂの治具本体３３０を嵌合するとともに、ベニヤ環状板３００ａの両切り欠き部３０１内に両フランジ３４０を嵌合する。ここで、このような嵌合は、ベニヤ環状板３００ａの筒状ボス部３０５を両フランジ３４０の各貫通孔部３４２に挿通するとともに、両フランジ３４０の各位置ずれ防止ロッド部３４３を、ベニヤ環状板３００ａの各位置決め孔部３０４を通して、透明板１０の各基準孔部１２に嵌合するように行う。
【０１６２】
これにより、上述のような透明板１０及び補助板３００の間の固着状態のもとに、透明板１０、補助板３００及び底上げ治具３００ｂが、相互に位置ずれ不能にしっかりと組み付けられる。
【０１６３】
このような組み付け後、透明板１０を、ベニヤ環状板３００ａ及び底上げ治具３００ｂを下側にして、釘打ち機２００ａのテーブル２２３上に載置固定する。
【０１６４】
これによれば、底上げ治具３００ｂが上述のような透明板１０及びベニヤ環状板３００ａとの関係において上述のような構成を有することから、透明板１０の全体が、ベニヤ環状板３００ａ及び底上げ治具３００ｂを介して、テーブル２２３の上面上に、ベニヤ環状板３００ａや底上げ治具３００ｂとの間における相互の位置ずれを防止しつつ、しっかりと支持され得る。
【０１６５】
ここで、透明板１０は、その両基準孔部１２に同軸的に対応する底上げ治具３００ｂの両位置決め孔部３４３ａを基準に、テーブル２２３上に位置決め固定されるとともに、テーブル２２３の初期位置が、上記第１実施形態と同様に、図２０にて図示位置に設定される。
【０１６６】
このように透明板１０をベニヤ環状板３００ａ及びと共に初期的に位置決め固定した後、釘打ち機２００によって、上記第１実施形態と同様に、透明板１０に対する遊技釘の打ち込みが順次なされる。
【０１６７】
上述のような遊技釘の打ち込みにあたっては、上記第１実施形態と同様に、釘打ち機２００においては、釘打ちのための基準面がテーブル２３２の上面で設定されており、釘打ちの開始面が、上記基準面の上方である１９（ｍｍ）の位置に設定されている。
【０１６８】
これに対し、遊技板１００ａに相当する透明板１０の厚さが１０（ｍｍ）と薄いものの、補助板３００に相当するベニヤ環状板３００ａの厚さと底上げ治具３００ｂとの双方の厚さの和が９（ｍｍ）となっていることから、ベニヤ環状板３００ａの厚さと底上げ治具３００ｂとの双方の厚さの和と透明板１０の厚さとの和が１９（ｍｍ）である。従って、ベニヤ環状板３００ａ及び底上げ治具３００ｂが、透明板１０の薄さを補う役割を果たし、当該透明板１０の前面（上面）を、上述した釘打ちの開始面に正しく維持する。
【０１６９】
しかも、透明板１０が、ベニヤ環状板３００ａ及び底上げ治具３００ｂの双方とともに、上述のごとくこれらベニヤ環状板３００ａ及び底上げ治具３００ｂとの間の相互の位置ずれを招くことなく、全体的に、テーブル２２３の上面上にしっかりと支持されている。従って、上述した釘打ち機２００による透明板１０に対する遊技釘の打ち込み力が強くても、透明板１０、ベニヤ環状板３００ａ及び底上げ治具３００ｂとの間の位置ずれを発生させることなく、かつ、透明板１０が撓んだり破壊したりすることなく、各遊技釘１１１を透明板１０に対し適正な打ち込み深さにて適正な向きにてしっかりと打ち込むことができる。その結果、底上げ治具３００ｂを後述のごとく透明板１０及びベニヤ環状板３００ａから除去したとき、透明板１０とベニヤ環状板３００ａとの間の上述した組み付け状態が、遊技釘の打ち込み前と同様に正常に維持され得る。
【０１７０】
以上のようにして釘打ち工程Ｓ７の処理が終了すると、上記第１実施形態にて述べたガイドレール組み付け工程Ｓ８（図１４参照）において、ガイドレール１２０を、上記第１実施形態と同様に、透明板１０の前面に上記遊技領域の周囲に沿い組み付ける。なお、この組み付けにあたっては、透明板１０を、ベニヤ環状板３００ａ及び底上げ治具３００ｂと共に、釘打ち機２００のテーブル２２３上から外した後、当該透明板１０及びベニヤ環状板３００ａから底上げ治具３００ｂのみを除去する。
【０１７１】
ついで、上記第１実施形態にて述べた盤面前部品組み付け工程Ｓ９（図１４参照）において、盤面前部品群１００ｃを上記第１実施形態と同様に透明板１０にその前面側から組み付けた後、次の画像表示器組み付け工程Ｓ１０（図１４参照）において、画像表示器１９０を、ベニヤ環状板３００ａの中空部を介し透明板１０のくりぬき穴部１３ａに組み付ける。
【０１７２】
然る後、次の盤面裏部品組み付け工程Ｓ１１（図１４参照）において、盤面後部品群１００ｄを、上記第１実施形態と同様に透明板１０にその裏面側から組み付ける。
【０１７３】
具体的には、上記第１実施形態にて述べた両装飾板１８０ａが、ベニヤ環状板３００ａの中空部内に位置するように、透明板１０にその裏側から固着される。ついで、裏ケーシング１８０ｂが、ケーシング本体１８１の中央穴部１８４を透明板１０のくりぬき穴部１３ａ（図１９参照）に対向して位置させて、ベニヤ環状板３００ａに組み付けられる。この組み付けに伴い、装飾帯１８１が、ベニヤ環状板３０ａの中空部を介し透明板１０に対向し、連結部材１８２が、センター構造物１４０の下部に透明板１０を介し対向し、また、複数の裏付属部品１８３が、ベニヤ環状板３００ａの中空部内に向け突出する。
【０１７４】
以上のような各工程を経て、透明板１０に相当する遊技板１００ａ及びベニヤ環状板３００ａに相当する補助板３００を一体的に備えた遊技盤１００の製造が終了する。
【０１７５】
以上説明したように、本第２実施形態においても、釘打ち機２００が上述した仕様を有する既設の釘打ち機であるが、上述のように、ベニヤ環状板３００ａ及び底上げ治具３００ｂを利用して遊技釘１１１の透明板１０に対する打ち込み構成に工夫を凝らすことで、当該既設の釘打ち機を有効に活用した遊技盤の製造方法の提供が可能となる。
【０１７６】
ここで、上述のごとく、釘打ち機２００による釘打ち処理の際には、透明板１０が、ベニヤ環状板３００ａを介し底上げ治具３００ｂの両位置ずれ防止ロッド部３４３でもって、相対的な位置ずれ不能に維持されているので、釘打ち機２００による釘打ち力が強くても、各遊技釘１１１の透明板１０に対する打ち込みが位置ずれを招くことなく、精度よくなされ得る。
【０１７７】
また、透明板１０、ベニヤ環状板３００ａ及び底上げ治具３００ｂの間の組み付け構成が、透明板１０の位置決め用基準孔部１２に対応する部位に集中することとなり、その結果、透明板１０、ベニヤ環状板３００ａ及び底上げ治具３００ｂに対する上記組み付け構成の形成に要する加工処理を簡単にすることができる。その他の作用効果は、上記第１実施形態と同様である。
【０１７８】
なお、本発明の実施にあたり、上記各実施形態に限ることなく、次のような種々の変形例が挙げられる。
（１）本発明の実施にあたり、遊技板１００ａの厚さは、上記各実施形態にて述べた１０（ｍｍ）に限ることなく、例えば、９（ｍｍ）或いは１１（ｍｍ）等に変更してもよい。一般的には、遊技板１００ａは、その前面側から補助板１０ａの中空部を通して盤面裏部品群１００ｄを目視により良好に透視可能で遊技釘１１１の適正な打ち込み深さを確保可能な厚さであればよい。
（２）本発明の実施にあたり、上記透明板は、アクリル樹脂とゴムとの混合材料に限ることなく、ポリカーボネート（ＰＣ）とゴムとの混合材料でもって形成するようにしてもよい。
（３）本発明の実施にあたり、透明板１０は、遊技釘１１１を打ち込むことができる程度の柔らかさを有する樹脂、例えば、ポリメタクリル酸メチルであれば、ゴムを混合しなくてもよい。
（４）本発明の実施にあたり、上記各実施形態にて述べた釘打ち機２００のように、遊技釘の打ち込み開始面が、テーブル２２３の上面である遊技釘の打ち込みのための基準面から１９（ｍｍ）上方の高さの位置にある釘打ち機に限ることなく、テーブルの上面から１８．５（ｍｍ）〜２０．５（ｍｍ）の範囲以内の所定高さの平面を遊技釘の打ち込み開始面とする仕様の釘打ち機が、上記釘打ち機２００であってもよい。これを前提に、透明板１０は、１８．５（ｍｍ）〜２０．５（ｍｍ）の範囲以内の所定厚さ未満の厚さ、例えば、１０（ｍｍ）であってもよい。これに伴い、上記各実施形態にて述べた補助板の厚さは、上記遊技板の所定厚さ未満の厚さから透明板１０の厚さを減じた厚さとすればよい。これによっても、上記各実施形態と同様の作用効果を達成することができる。
（５）本発明の実施にあたり、上記第２実施形態にて述べた底上げ治具３００ｂの両位置ずれ防止ロッド部３４３のうち一方を廃止してもよい。また、底上げ治具３００ｂにおいて、設けた治具本体３３０の両対向隅角部３３１、３３２以外の両対向隅角部の各々にもフランジ３４０と同様の他のフランジを一体的に形成して、これら他のフランジに対し、位置ずれ防止ロッド部３４３と同様の位置ずれ防止ロッド部を形成して、合計４つの位置ずれ防止ロッド部でもって、透明板１０に対する釘打ち処理の際のこの透明板１０及びベニヤ環状板３００ａの間の相互の位置ずれを防止するようにしてもよい。
（６）本発明の実施にあたり、底上げ治具３００ｂの各フランジ３４０は、上記第２実施形態とは異なり、治具本体３３０の各隅角部以外の部位に形成するようにしてもよい。この場合には、透明板１０の各基準孔部１２に対するベニヤ環状板３００ａの各対応部位（切り欠き部３０１を形成しない状態における各対応部位）に、各フランジ３４０の位置決め孔部３４３ａに代わる各位置決め孔部を形成する。
（７）本発明の実施にあたり、上記第２実施形態にて述べた底上げ治具３００ｂの各位置ずれ防止ロッド部３４３は、上記第２実施形態にて述べた透明板１０の各基準孔部１２に同軸的に対応する位置に限ることなく、底上げ治具３００ｂの各フランジ３４０のどの位置に突設するようにしてもよい。
（８）本発明の実施にあたり、透明板は、ガラス繊維入りポリプロピレン樹脂及びガラス繊維入りポリアミド樹脂のいずれかからなるガラス繊維入り合成樹脂を、その含有成分であるガラス繊維のスプリングバック現象により膨張させて、無数の気孔を内包するようにして形成してもよい。これによれば、透明板は遊技釘を容易に打ち込むことが可能でかつ打ち込んだ遊技釘をしっかりと保持し得る程度の弾性を有するようになる。従って、遊技釘を透明板に打ち込むにあたり、当該遊技釘を透明板に容易に打ち込むことができる。よって、遊技釘を透明板に打ち込むにあたり、前もって、透明板に遊技釘用下孔部を形成する必要がない。また、上述のように透明板は打ち込んだ遊技釘をしっかりと保持し得る程度の弾性を有するから、打ち込まれた遊技釘は透明板によりしっかりと支持され得る。
【符号の説明】
【０１７９】
１０…透明板、１０ａ、３００ａ…ベニヤ環状板、
１０ｂ、３００ｂ…底上げ治具、１００ａ…遊技板、１００ｂ、３００…補助板、
１００ｃ…盤面前部品群、１００ｄ…盤面裏部品群、
１０１〜１０９、１３ａ〜１３ｃ、１４ａ〜１４ｅ…くりぬき穴部、
１１０…遊技釘群、１１１…遊技釘、１２０…ガイドレール、
１４０…センター構造物、１６０ａ…肩チャッカー、
１５２、１５３、１５６…チャッカー、１５５…普通電動構造物、
１６０ｃ…スタートチャッカー、１７０…下側アタッカー、
１８０ａ…円弧状装飾板、１８０ｂ…裏ケーシング、１８２…連結部材、
１８３…裏付属部品、１９０…画像表示器、２００…釘打ち機、
３０１、３１０…切り欠き部、３４３…位置ずれ防止ロッド部、
２２３…テーブル、Ｓ１…透明板成形工程、Ｓ３…くりぬき穴形成工程、
Ｓ５…下孔形成工程、Ｓ６…ベニヤ環状板固着工程、Ｓ７…釘打ち工程、
Ｓ８…ガイドレール組み付け工程、Ｓ９…盤面前部品組み付け工程、
Ｓ１１…盤面裏部品組み付け工程。
【図１】
2010268926.tif 000003
【図２】
2010268926.tif 000004
【図３】
2010268926.tif 000005
【図４】
2010268926.tif 000006
【図５】
2010268926.tif 000007
【図６】
2010268926.tif 000008
【図７】
2010268926.tif 000009
【図８】
2010268926.tif 000010
【図９】
2010268926.tif 000011
【図１０】
2010268926.tif 000012
【図１１】
2010268926.tif 000013
【図１２】
2010268926.tif 000014
【図１３】
2010268926.tif 000015
【図１４】
2010268926.tif 000016
【図１５】
2010268926.tif 000017
【図１６】
2010268926.tif 000018
【図１７】
2010268926.tif 000019
【図１８】
2010268926.tif 000020
【図１９】
2010268926.tif 000021
【図２０】
2010268926.tif 000022
【図２１】
2010268926.tif 000023
【図２２】
2010268926.tif 000024
【図２３】
2010268926.tif 000025
【図２４】
2010268926.tif 000026
【図２５】
2010268926.tif 000027
【図２６】
2010268926.tif 000028
【図２７】
2010268926.tif 000029
【図２８】
2010268926.tif 000030
【図２９】
2010268926.tif 000031
【図３０】
2010268926.tif 000032
【図３１】
2010268926.tif 000033
【図３２】
2010268926.tif 000034
【図３３】
2010268926.tif 000035
【図３４】
2010268926.tif 000036